(57)【要約】【課題】  受信チャンネル数の増加や装置の多機能化にもかかわらず、視認性を向上して簡易で容易に選択・操作可能な放送受信装置を提供する。【解決手段】  チューナ部１１により受信した放送信号（例えば、ビットストリームデータ）からデジタル映像情報と音声情報を復号すると共に、放送予定の番組情報を含む情報番組関連情報をＥＰＧバッファ１３に格納し、ＥＰＧ加工処理部１４では、例えばリモコンなどからの指示入力によって、画面上に電子番組情報を表示するための加工処理を行い、この加工処理した電子番組情報を、更に、ポップアップ処理部１９を介して放送受信装置の表示部１７上に、電子番組情報を拡大して、ポップアップ表示し、もって、番組選択や装置の操作を良好にし、もって、使い勝手の良い放送受信装置を提供する。【選択図】      図１
2007019906.tif 000002
【特許請求の範囲】
【請求項１】
映像及び音声情報と共に、放送予定の番組情報を含む情報番組関連情報を受信する受信部と、前記受信手段により受信された情報番組関連情報を基に、画面上に電子番組情報を表示するための加工処理を行うための処理部と、前記処理部において処理した電子番組情報を表示する表示部とを備えた放送受信装置において、前記処理部は、更に、前記表示部上に表示される電子番組情報を拡大して表示するためのポップアップ処理部を備えていることを特徴とする放送受信装置。
【請求項２】
前記請求項１に記載した放送受信装置において、前記ポップアップ処理部は、前記表示部上に表示される電子番組情報の文字を拡大して表示することを特徴とする放送受信装置。
【請求項３】
前記請求項１に記載した放送受信装置において、前記ポップアップ処理部は、前記表示部上に表示される電子番組情報の文字数を増大して表示することを特徴とする放送受信装置。
【請求項４】
前記請求項１〜３の何れか１に記載した放送受信装置において、前記電子番組情報は、番組表であることを特徴とする放送受信装置。
【請求項５】
前記請求項４に記載した放送受信装置において、更に、前記放送受信装置の動作を操作するための操作部を備え、前記ポップアップ処理部において拡大処理される前記電子番組情報は、当該操作部によって選択された電子番組情報であることを特徴とする放送受信装置。
【請求項６】
映像及び音声情報と共に、放送予定の番組情報を含む情報番組関連情報を受信する受信部と、前記受信手段により受信された情報番組関連情報を基に、画面上に電子番組情報を表示するための加工処理を行うための処理部と、前記処理部において処理した電子番組情報を表示する表示部とを備えた放送受信装置において、前記放送受信装置の動作を操作するための操作部を備え、前記処理部は、前記操作部により選択される操作情報を前記表示部上に表示すると共に、更に、当該表示部上に表示される操作情報を拡大して表示するためのポップアップ処理部を備えていることを特徴とする放送受信装置。
【請求項７】
前記請求項６に記載した放送受信装置において、前記ポップアップ処理部は、前記操作情報の文字情報と共に、画像情報をも拡大表示することを特徴とする放送受信装置。
【請求項８】
前記請求項４に記載した放送受信装置において、前記ポップアップ処理部において拡大処理される操作情報は、当該操作部によって選択された操作情報であることを特徴とする放送受信装置。
【発明の詳細な説明】
【技術分野】
【０００１】
本発明は、デジタル方式やアナログ方式を含め、放送により送られるＡＶ（オーディオ・ビデオ）コンテンツを取り扱うための装置及びその方法に関し、特に、放送予定の番組を表示する機能を備えた放送受信装置に関する。
【背景技術】
【０００２】
近年、従来からのアナログ方式のテレビジョン放送に加え、放送衛星、通信衛星などによる放送、更には、地上波による放送おいても、デジタル方式のテレビジョン放送が普及しつつあり、一般の家庭においても、各種の放送を受信するためシステムが普及してきている。なお、かかるシステムにおいては、従来のアナログ放送だけの場合に比較し、多数のチャネルを確保することが可能であることから、極めて多くの数の番組が放送されており、同時に、かかる多数の放送番組を受信するための各種ＡＶ装置が次々と製品化されてきている。特に、放送受信装置であるテレビジョン受信機は、近年、その薄型化と共に、例えば、プラズマディスプレイ装置に代表されるように、表示画面の大画面化が著しい。
【０００３】
また、従来のテレビジョン受信機では、放送番組の番組名称、番組の内容、更には、その開始時刻や終了時刻など、所謂、番組関連情報は、映像信号や音声信号と共に伝送されてテレビ画面上に表示することは出来ず、そのため視聴者は新聞等に記載される番組表からこれらの情報を得ていた。しかしながら、上記近年におけるテレビジョン放送の発展に伴って、例えば、以下の特許文献１や２に示されるように、テレビジョン放送に加えて番組関連情報をも同時に伝送し、これをテレビジョン受信機の表示画面上に表示し、リモートコントローラ（以下、「リモコン」）の操作により、簡単に、視聴したい番組を選択することが可能な各種の技術が種々提案され、また、実用化されている。
【特許文献１】特許第３６０１１８１号公報
【特許文献２】特開平１０−２９４９０４号公報
【発明の開示】
【発明が解決しようとする課題】
【０００４】
即ち、上記の従来技術では、例えば、上記特許文献１にも開示されるように、視聴者の選択にとって必要な番組関連情報を、表示画面上に各種の情報フィールドとして表示することが行なわれている。例えば、上記特許文献１では、番組の開始時刻や終了時刻（縦軸）と共に、チャンネル番号（横軸）を表示し、これらに対応して番組名称、番組の内容などを表示する、所謂、番組表と共に、リモコン操作により表示画面上で指示された番組の内容を、上記番組表とは異なるフィールドに表示する技術が記載されている。しかしながら、上述したように、特に、デジタル方式のテレビジョン放送が普及に伴い、一般の家庭においても、多数の放送（チャンネル）を受信することが可能であるが、それに伴って、上記番組表に多数のチャンネルの放送番組を表示しようとした場合、それを表示する文字が小さくなってしまい、視聴者にとってはチャンネル選択がし難くなるという問題があった。
【０００５】
これに対して、上記特許文献２では、多数のチャンネルにより放送される番組を、予め、ユーザが設定した複数のグループにグルーピングしておき、ユーザが番組を選択する場合は、当該予め設定したグルーピング画面を介してチャンネルを選択する。しかしながら、この従来技術でも、グループを選択した後には、やはり、上記特許文献１と同様に、番組の開始時刻や終了時刻（縦軸）と共にチャンネル番号（横軸）を表示し、これらに対応して番組名称、番組の内容などを表示する、番組表を表示し、リモコン操作により受信したい番組を選択する。そのため、この特許文献２に記載された従来技術においても、上述したデジタル方式のテレビジョン放送が普及に伴う受信可能なチャンネル数の増大に伴って、それを表示する文字が小さくなってしまい、やはり、視聴者にとってはチャンネル選択がし難くなるという問題があった。
【０００６】
なお、上記特許文献１では、番組表と共に、リモコン操作により表示画面上で指示された番組の内容を、上記番組表とは異なるフィールドに表示する技術が記載されているが、しかしながら、一般に、リモコン操作により番組選択を行なう視聴者は、特に、プラズマディスプレイ装置のような大画面上では、その視点はリモコン操作により移動すするカーソルに集中しがちであり、そのため、上記異なるフィールドへの表示にも拘わらず、その使い勝手が悪いという問題点があった。一方、かかる大画面上では、その画面サイズの増大に伴って、画面上に表示される番組表に表示あれる情報（番組関連情報）もより多くなってきている。
【０００７】
そこで、本発明は、上述した従来技術における問題点に鑑みて成されたものであり、すなわち、画面サイズの増大に加え、受信可能なチャンネル数の増大に伴って、より多くの番組関連情報を表示することが可能であり、かつ、その番組関連情報により番組を選択する際の当該番組関連情報の視認性を向上して番組選択操作を良好にし、もって、使い勝手の良い放送受信装置を提供することをその目的とするものである。
【課題を解決するための手段】
【０００８】
本発明によれば、上記の目的を達成するため、まず、映像及び音声情報と共に、放送予定の番組情報を含む情報番組関連情報を受信する受信部と、前記受信手段により受信された情報番組関連情報を基に、画面上に電子番組情報を表示するための加工処理を行うための処理部と、前記処理部において処理した電子番組情報を表示する表示部とを備えた放送受信装置において、前記処理部は、更に、前記表示部上に表示される電子番組情報を拡大して表示するためのポップアップ処理部を備えている放送受信装置が提供される。
【０００９】
なお、本発明では、前記に記載した放送受信装置において、前記ポップアップ処理部は、前記表示部上に表示される電子番組情報の文字を拡大して表示することが、又は、前記表示部上に表示される電子番組情報の文字数を増大して表示することが望ましい。加えて、前記電子番組情報は、番組表であることが好ましく、その場合、更に、前記放送受信装置の動作を操作するための操作部を備え、前記ポップアップ処理部において拡大処理される前記電子番組情報は、当該操作部によって選択された電子番組情報であることが好ましい。
【００１０】
また、本発明によれば、やはり上記の目的を達成するため、映像及び音声情報と共に、放送予定の番組情報を含む情報番組関連情報を受信する受信部と、前記受信手段により受信された情報番組関連情報を基に、画面上に電子番組情報を表示するための加工処理を行うための処理部と、前記処理部において処理した電子番組情報を表示する表示部とを備えた放送受信装置において、前記放送受信装置の動作を操作するための操作部を備え、前記処理部は、前記操作部により選択される操作情報を前記表示部上に表示すると共に、更に、当該表示部上に表示される操作情報を拡大して表示するためのポップアップ処理部を備えている放送受信装置が提供される。
【００１１】
なお、本発明では、前記に記載した放送受信装置において、前記ポップアップ処理部は、前記操作情報の文字情報と共に、画像情報をも拡大表示することが好ましく、更に、当該操作部によって選択された操作情報であることが好ましい。
【発明の効果】
【００１２】
上記したように、本発明になる放送受信装置によれば、上記ポップアップ処理を、特に、デジタル化に伴って増大する受信可能なチャンネル数、更には、かかる放送受信装置の多機能化に伴って、より簡易で容易に操作できることが強く求められている操作情報（画像）に適用することにより、その視認性を向上して番組選択や装置の操作を良好にし、もって、使い勝手の良い放送受信装置を提供することを可能とする、優れた効果を発揮する。
【発明を実施するための最良の形態】
【００１３】
以下、本発明の実施の形態について、添付の図面を用いて詳細に説明する。
まず、添付の図５は、本発明の一実施の形態になる、その内部に情報記録装置を内蔵した放送受信装置の構成の一例を示すブロック図であり、この図において、符号１００は、デジタル及びアナログ放送を受信して、その放送内容（映像・音声による番組、データ放送による番組、データ放送によるデータを含む）を、例えば、プラズマディスプレイパネルや液晶ディスプレイパネルなど、所謂、フラットパネルディスプレイ（ＦＰＤ）２００上に表示するＡＶ機器（放送受信装置）を示している。
【００１４】
この図５において、符号１１０は、放送されたデジタル放送を受信するためのパラボラアンテナを示しており、このアンテナ１１０からのＲＦ信号は、上記デジタル放送受信装置１００においてデジタルチューナモジュール（又は、フロントエンド）１２０を構成するデジタルチューナ１２１に供給されて復調される。このデジタルチューナ１２１の出力は、やはりチューナモジュール１２０を構成する、例えば、ＱＰＳＫ復調回路１２２に供給され、これによりＱＰＳＫ復調が行なわれる。その後、このＱＰＳＫ復調回路１２２の出力は、やはり上記チューナモジュール１２０を構成するエラー訂正回路１２３に供給され、ここで、伝送中に生じたエラーが検出されて訂正が行なわれる。すなわち、このチューナモジュール１２０は、指定された周波数の信号を選局し、ＴＳ（トランスポートストリーム）を抽出する。
【００１５】
デマルチプレクサ１２４は、上記デジタルチューナモジュール１２０のエラー訂正回路１２３から出力される信号を入力し、データバッファメモリ（ＤＲＡＭ(Dynamic Random Access Memory)又はＳＲＡＭ(Static Random Access Memory)１２５に一旦記憶した後、適宜これを読み出して解読し、この解読した映像・音声信号をＭＰＥＧデコーダ１２６に供給する。すなわち、このデマルチプレクサ１２４におけるデマルチプレックス処理は、送信側における多重装置（ＭＵＸ）において映像や音声などの複数のストリームが多重されたトランスポートストリーム（ＴＳ）から、必要なストリームを取り出す処理であり、様々なストリームのパケットの中から、必要とするストリームを取り出すための、所謂、フィルタリングを行なう。すなわち、あるチャンネルに選局した場合、そのチャンネルのＰＭＴには、そのチャンネルのサービスを構成する映像や音声ストリームのＰＩＤ（パケットＩＤ）が指定されており、そこで、受信器側では、そのＰＩＤのパケットをフィルタリングして、映像や音声のストリームを取り出すことで、番組を提示することが出来る。
【００１６】
上記のデマルチプレクサ１２４には、更に、ＣＰＵ、ＲＯＭ及びＲＡＭ等を内蔵するＩＣカードにより構成されたＣＡＭ(Conditional Access Module)１３０を挿入して、そこに記憶されたキーを読み出すためのカードリーダインターフェース（Ｉ／Ｆ）１３１が接続されている。即ち、このＩＣカード１３０には、暗号を解読するために必要なキーが、解読プログラムと共に格納されており、例えば、有料放送などスクランブルを掛けて伝送された信号を提示するため、所謂、デスクランブル処理を行なうためのものである。なお、ここでは、カードリーダＩ／Ｆ１３１を介してＣＡＭ１３０からこのキーが読み出され、デマルチプレクサ１２４に供給され、もって、デマルチプレクサ１２４はこのキーを利用して、暗号化された信号を解読する。
【００１７】
その後、上記のデマルチプレクサ１２４で取り出された映像や音声のストリームは、ＭＰＥＧデコーダ１２６に供給され、このＭＰＥＧデコーダ１２６では、入力されたデジタル信号を内蔵したＤＲＡＭ等に適宜記憶させて、ＭＰＥＧ方式（特に、ＭＰＥＧ２）により圧縮されている映像・音声信号のデーコード（復号化）処理を行なう。
【００１８】
また、この放送受信装置１００は、更に、アナログ放送を受信するためのアンテナ１１１を備えており、更には、アナログ式のチューナモジュールを構成するアナログチューナ１６１、アナログ復調回路１６２、ＮＴＳＣデコーダ１６３をも備えている。このアナログ式チューナモジュールからは、アナログ放送された番組の映像・音声信号が出力される。
【００１９】
このように、上記放送受信装置１００内において、デジタル方式のチューナモジュール１２０により受信された映像・音声信号、そして、上記アナログ式のチューナモジュールで所定の形式に変換された映像・音声信号は、その後、スイッチＳＷ１を介してその一方が選択され、フォーマットコンバータ１２７を介して所定のフォーマットに変換され、例えば、プラズマディスプレイや液晶ディスプレイ等の所謂フラットパネルディスプレイ（ＦＰＤ）２００へ出力されて表示される。または、これらの映像・音声信号は、図にも示すように、例えば、ＣＲＴ、ＶＣＲ等のアナログ外部機器へ出力されており、これによりこれらの外部機器で記録することが可能となっている。なお、ここでは、上記ＭＰＥＧデコーダ１２６で所定の形式に変換された映像・音声信号は、更に、ＮＴＳＣエンコーダ１２８やＤ／Ａ変換器１２９を介して、所謂、ＮＴＳＣフォーマットに変換されて出力される。
【００２０】
また、上記図５において、上記放送受信装置１００内には、ＣＰＵ(Central Processor Unit)１３２が設けられており、このＣＰＵは、ＲＯＭ１３３内に記憶されているプログラムに従って、各種の処理を実行する。例えば、上記デジタルチューナモジュール１２０を構成するデジタルチューナ１２１、ＱＰＳＫ復調回路１２２、エラー訂正回路１２３、上記アナログチューナモジュール等を制御する。また、赤外線制御信号を発生し又は受信するＩＲ送受信部１３５を備えており、上記のＣＰＵ１３０は、このＩＲ送受信部介して、他のＡＶ機器に所定の制御信号を出力し、又は、他のＡＶ機器からの制御信号を受信する。
【００２１】
このＣＰＵ１３２に対しては、装置のフロント面に設けられたフロントパネル１３６の各種の操作ボタンスイッチを操作することにより、各種の指令を直接入力することもできる。また、これとは別に、所謂、リモートコントローラ（リモコン）１４０が設けられており、このリモートコントローラの各種のボタンを操作することによっても各種の指令を入力することが出来、この入力信号は、上記リモートコントローラの先端部に設けられたＩＲ発信部から赤外線として上記ＩＲ送受信部１３２へ出射される。この入力信号は、上記ＣＰＵ１３２に対して入力され、もって、このリモートコントローラを操作することによっても、ＣＰＵに対して所定の指令を入力することが出来る。
【００２２】
そして、上記図５では、更に、上記放送受信装置１００内に、番組のコンテンツ（映像・音声情報）を記録するため、ハードディスクドライブ（ＨＤＤ）３００を内蔵している。なお、このＨＤＤ３００内に記録されるデータは、上記ＭＰＥＧデコーダ１２６で復号化された映像・音声信号を、再び、ＭＰＥＧエンコーダ１５１においてデジタル信号として圧縮し、その後、所定の記録処理を実行してデータの記録を行なうＨＤＤ処理回路１５２を介して、上記ＨＤＤ３００内に記録する。また、図に矢印で示すように、上記ＭＰＥＧデコーダ１２６で復号化された映像・音声信号がこのＨＤＤ処理回路１５２に直接入力されると共に、また、一旦記録した情報を再生する場合には、上記ＨＤＤ３００から読み出された圧縮信号は、このＨＤＤ処理回路１５２を介して、再び、上記ＭＰＥＧデコーダ１２６へ入力される。すなわち、映像・音声信号のデーコード（復号化）処理を行ない、この復号化された映像・音声信号は、フォーマットコンバータ１２７を介して所定のフォーマットに変換されてフラットパネルディスプレイ（ＦＰＤ）２００へ出力され、再生され、又は、ＶＣＲ、ＤＶＤレコーダ等の外部機器へ出力される。なお、この図において、符号ＳＷ２は、上記アナログチューナモジュールから出力される映像・音声信号と、上記デジタルチューナモジュール１２０を介して受信し、上記ＭＰＥＧデコーダ１２６で変換された映像・音声信号とから、その一方を選択するためのスイッチを示している。
【００２３】
また、図にも明らかなように、上記放送受信装置１００内には、更に、例えば、ＤＶＤレコーダ１７０のような、所謂、デジタル情報記録装置が内蔵されており、上記ＨＤＤ３００から読み出された圧縮信号は、このＨＤＤ処理回路１５２を介して、上記ＤＶＤレコーダ１７０に挿入されたＤＶＤディスク１７１に記録することが可能となっている。また、ＨＤＤ処理回路１５２からは、外部のデジタル記録装置に対してＨＤＤ３００から読み出された信号を出力するための端子が設けられている。
【００２４】
次に、上記にその詳細構成について説明した本発明になる放送受信装置１００における、特に、ＥＰＧ（電子番組）の表示機能について、添付の図１を参照しながら、以下に詳細に説明する。なお、この図１は、上記図５に示した放送受信装置の構成において、特に、ＥＰＧ（電子番組）の表示機能に関連するものを選択して表示したものである。
【００２５】
図１からも明らかなように、各種信号（アナログ信号及びデジタル信号）の入力端子１０に入力した信号は、チューナ１１により選択されてデコーダ（復号器）１２により、図２にも示すように、映像信号及び音声信号から番組関連情報信号が分離され、当該分離された番組関連情報信号（ＥＰＧデータを含む）は、例えばメモリにより構成されるＥＰＧバッファ１３に入力される。なお、このＥＰＧバッファ１３へは、上記デコーダ（復号器）１２から定期的に（例えば、数秒に１回）番組関連情報信号の更新が行なわれる。
【００２６】
一方、ＥＰＧ加工処理部１４は、上記ＥＰＧバッファ１３に格納される。ＣＰＵ２０は、上記リモコン１４０（図３を参照）の操作に関連して入力される指示入力生成部１５からの指示入力信号に基づいて、制御信号を生成する。ＣＰＵ２０は、その制御信号を用いてＥＰＧバッファ１３とＥＰＧ加工処理回路を制御し、上記ＥＰＧバッファ１３に格納される更新された番組関連情報信号から、ＥＰＧを表示のために必要なデータ（即ち、表示画面上のカーソル位置に対応した番組表のデータ）を取り出して、表示のためのＥＰＧ信号（表示用ＥＰＧ信号）を作成する。そして、この表示用ＥＰＧ信号に対してポップアップウィンドウ処理部１９においてポップアップウィンドウ処理を施し、切替器１６を介して、ＴＶ表示画面１７（即ち、図３のＦＰＤ２００の表示画面）上に表示する。
【００２７】
なお、上記図１においては、上記デコーダ（復号器）１２により復号された映像信号は、例えば、ガンマ補正やコントラスト等の画像信号処理を信号処理部１８で行った後、更に、切替器１６によりポップアップウィンドウ処理された表示用ＥＰＧ信号と切り替えて（又は、合成してもよい）ＴＶ表示画面１７上に表示しているが、しかしながら、これに限らず、例えば、この信号処理部１８を上記切替器１６の後に配置することも可能である。また、上記の各部は、制御用の演算処理装置（ＣＰＵ）２０（図３のＣＰＵ１３２に対応）により制御されることは言うまでもなく、この図では、その制御ラインを破線により示している。
【００２８】
次に、添付の図３を参照しながら、表示画面上のカーソル位置に対応した番組表のデータ、即ち、番組内容を、ポップアップウィンドウ処理して表示画面上に表示した状態を、その操作手段である上記リモコン１４０の詳細を示す図４をも参照して、以下に説明する。
【００２９】
即ち、視聴者が番組選択を行なう場合には、図４に示すリモコン１４０の「番組表」ボタン１４１を押下して、番組表を表示する。この番組表は、例えば図３に示されるように、縦軸を時間、横軸をチャンネル軸とした表形式で表される。そして、番組毎に矩形状の表示領域（フィールド）に区分される。すなわち、各表示領域の縦方向の長さは、番組の放映時間の長さに応じている。視聴者が所望の番組を選択する場合は、この表示領域を単位として、リモコン１４０のカーソル移動キー１４２の操作に応じて選択することとなる。本実施例では、選択された番組が強調されるように、選択された番組の表示領域がポップアップウィンドウ処理される。すなわち、リモコン１４０のカーソル移動キー１４２の操作に応じて、ポップアップウィンドウが番組表上を移動することとなる。なお、この時、例えば、図３に示される番組表の表示画面の例では、まず、「ＡＭ１０」における「ＢＳ９９９」チャンネルの「００週間天気予報」がポップアップウィンドウ処理されて表示されるが、視聴者は、更に、上記リモコン１４０のカーソル移動キー１４２を操作することにより、番組表上においてポップアップウィンドウ処理されて表示される番組を上下左右方向に、自在に移動することが出来る。なお、この図１に示す例では、符号１７−１で示すように、「ＡＭ１０」における「ＢＳ９９１」チャンネルの「００シネマ劇場…」がポップアップウィンドウ処理されて（拡大）表示された状態を示している。
【００３０】
そして、この図からも明らかなように、このポップアップウィンドウ処理されて表示された番組情報１７−１、即ち、視聴者がリモコン１４０によって選択した番組）「００シネマ劇場…」では、その内容を表示する文字が、番組表の他の表示領域（フィールド）を構成する文字よりも大きなサイズの文字によって表示されていることが分る。つまり、視聴者がカーソル移動キー１４２により所望の番組の表示領域（フィールド）を選択すると、その表示領域がポップアップされ、そのポップアップウィンドウ内に表示される文字は、選択前の表示領域に表示された文字の大きさよりも大きくなるように、ポップアップウィンドウ処理部１９で処理される。このことによれば、プラズマディスプレイ装置のような表示画面の大型化に伴って画面上に表示される番組表に表示される情報（番組関連情報）の増大、本例では、表示するチャンネル数の増大にも拘わらす、ポップアップウィンドウにより、文字サイズの大きな文字で表示されることから（例えば、隣接するフィールド１７−９と比較）、視聴者によっては自身が選択しようとする番組の内容を容易に把握し易く、そのため、使い勝手が向上する。なお、このポップアップウィンドウ処理されて表示された番組情報１７−１を、他の領域（例えば、隣接するフィールド１７−９）とは異なる色で表示することも可能である。更には、この表示部１７−１に表示される情報を、特に、放送時間の長い番組や、番組名の短い番組では、当該番組名の後に、番組説明をも加えて、即ち、必要なより多くの情報を表示することも可能である。つまり、ポップアップウィンドウ内に表示される文字数を、選択される前の表示領域に表示される文字数よりも多くすることもまた、好適である。例えば選択前の表示領域には番組のタイトルのみを表示し、ポップアップウィンドウでは、その番組のタイトルの他に出演者名や番組の概要等を表示するようにしてもよい。
【００３１】
なお、その際においても、表示画面上に表示された番組表上の同じ視点において、上記ポップアップウィンドウが開いて番組の内容を文字サイズの大きな文字で表示することから、その視点を、プラズマディスプレイ装置のような大型で広い画面上で移動する必要もなく、即ち、疲労を伴うことなく、簡単かつ容易に、番組内容を確認することが可能となる。なお、この表示画面において、符号１７−２は、表示しているサービス（テレビ等）を示すフィールドであり、符号１７−３は、表示している放送を示すフィールドである。また、フィールド１７−４には現在時刻が表示され、フィールド１７−５には、チャンネル番号、放送局名、放送時刻、選択して番組の番組名等が表示される。更に、この図中における符号１７−６は、表示中の番組表の日付を示し、また、符号１７−７は予約時間帯を、そして、１７−８はチャンネルを表示している。
【００３２】
その後、視聴者は、上記したポップアップウィンドウ処理して表示された番組情報１７−１により所望の番組を選択し、上記図４に示すリモコン１４０のカーソル移動キー１４２中央部の「決定」を押下することによれば、表示画面は、図示しない予約画面へ移行することとなる。この予約画面は、例えば録画予約と視聴予約を選択する画面を含むものであってもよい。ここで録画予約を選択すると、選択された（すなわちポップアップされた）表示領域の番組に対応するチャンネル情報とその放送開始及び終了時刻情報がＥＰＧバッファ１３から抽出される。その抽出された番組のチャンネル情報とその放送開始及び終了時刻情報は、ＣＰＵ２０（１３２）に登録される。ＣＰＵ２０（１３２）は、その登録情報とタイマー情報に従い、選択番組の放送開始時刻が到来すると選択番組のチャンネルを選局するようにデジタルチューナ１２１を制御する。そしてデジタルチューナ１２１で受信した番組をＨＤＤ３００またはＤＶＤレコーダ１７０に録画するように、これら記録装置を制御する。選択番組の放送終了時刻が到来すると録画動作を終了し、必要に応じてＡＶ機器１００の電源をオフにする。また視聴予約を選択した場合は、ＣＰＵ２０（１３２）は、選択番組の放送開始時刻に選択番組をＦＰＤ２００の画面上に表示するように、デジタルチューナ１２１及びＦＰＤ２００を制御する。
【００３３】
更に、上記した本発明になるポップアップウィンドウ処理して表示する情報の他の例として、放送受信装置の操作情報（メニュー画面）に適用した例について、添付の図６を参照しながら説明する。なお、かかる操作情報（画面）は、近年における放送受信装置の多機能化に伴って、より簡易で容易に操作できることが強く求められており、この図６の表示画面は、上記図上記図４に示すリモコン１４０の「べんり」ボタン１４３を押下することにより表示される。そして、上記と同様に、カーソル移動キー１４２を操作することにより上下方向に移動すると、カーソルの移動に伴って、カーソル位置の画像及びその文字が、他のフィールドよりも大きなサイズで表示される。なお、この図の例では、カーソルの位置が、上記「べんり」機能を構成する、例えば、「予約一覧」にある状態を示している。なお、この状態でカーソル移動キー１４２の中央部の「決定」を押下することにより、図示しない「予約内容の確認」の画面に移行する。ここで、「番組ガイド」を選択すれば、図３の番組表が表示される。すなわち、本実施例は、メニュー画面とリモコン装置のいずれかにより番組表を表示できる。
【００３４】
このように、本発明になるポップアップウィンドウ処理して表示する情報を、上記受信装置の操作画面をも含めて適用することによれば、やはり、その画面を構成する文字や画像を、より大きなサイズで表示することによって、視聴者が操作している操作内容を容易に把握し易く、そのため、使い勝手が向上する。また、その際にも、プラズマディスプレイ装置のような大型で広い画面上で視点を移動する必要もなく、疲労を伴なわず、容易に装置の操作を行うことが可能となる。
【図面の簡単な説明】
【００３５】
【図１】本発明になる放送受信装置において、特に、ＥＰＧ（電子番組）の表示機能に関連する構成を示すブロック図である。
【図２】上記放送受信装置により受信される信号、特に、デジタル信号のデータ構成の一例を示す図である。
【図３】表示画面上の番組内容をポップアップウィンドウ処理して表示した状態を示す図である。
【図４】上記放送受信装置の操作を行うリモートコントローラの一例を示す上面図である。
【図５】本発明の実施の形態になる放送受信装置の全体構成の一例を示すブロック図である。
【図６】本発明になるポップアップウィンドウ処理を放送受信装置の操作画面に適用した場合の例を示す図である。
【符号の説明】
【００３６】
１２…デコーダ（復号器）
１３…ＥＰＧバッファ
１４…ＥＰＧ加工処理部
１５…指示入力部（リモコン）
１６…切換器
１７…ＴＶ表示部
１９…ポップアップ処理部
【図１】
2007019906.tif 000003
【図２】
2007019906.tif 000004
【図３】
2007019906.tif 000005
【図４】
2007019906.tif 000006
【図５】
2007019906.tif 000007
【図６】
2007019906.tif 000008